(57)【要約】【課題】ページメモリーから読み出されたデータを一時記憶する記憶部を効率的に利用する。【解決手段】ブロック３１は、主走査方向Ｄ１に連続して並ぶ画素３３からなるセグメント３４を、副走査方向Ｄ２に連続して並べた構造を有する。読出部１６は、セグメント３４を単位としたデータであるセグメントデータを、ページメモリー１１から読み出し、セグメントメモリー１３に一時記憶させる。設定部１７は、１ページの画像３０のｂｐｐ値が小さくなると、画素数が大きくするようにし、１ページの画像３０のｂｐｐ値が大きくなると、画素数が小さくなるように、セグメント３４の画素数を設定する。分割部１５は、設定された画素数のセグメント３４により構成される複数のブロック３１に、１ページの画像３０を分割する。【選択図】図３
2015226184.tif 000002
【特許請求の範囲】
【請求項１】
１ページの画像を示す画像データが格納されるページメモリーと、
前記１ページの画像を複数のブロックに分割する分割部と、
前記ブロックは、主走査方向に連続して並ぶ画素からなるセグメントを、副走査方向に連続して並べた構造を有しており、前記１ページの画像を前記ブロックの単位で所定の画像処理をするために、前記セグメントを示すデータであるセグメントデータを単位として、前記ページメモリーから前記画像データを読み出す読出部と、
前記読出部によって読み出された前記セグメントデータを、一時記憶する記憶部と、
前記記憶部に記憶されている前記セグメントデータを用いて、前記所定の画像処理をする画像処理部と、
前記１ページの画像のｂｐｐ（bits per pixel）値が小さくなると、画素数が大きくなるようにし、前記１ページの画像のｂｐｐ値が大きくなると、画素数が小さくなるように、前記セグメントの画素数を設定する設定部と、を備え、
前記分割部は、前記設定部で設定された画素数の前記セグメントにより構成される前記複数のブロックに、前記１ページの画像を分割する画像処理装置。
【請求項２】
前記設定部は、前記１ページの画像のｂｐｐ値を問わずに、前記セグメントのデータ量が同じとなるように画素数を設定する請求項１に記載の画像処理装置。
【請求項３】
前記設定部は、前記１ページの画像において、ｂｐｐ値が１であり、かつ、前記主走査方向の画素数がｎの場合、前記セグメントの画素数を前記ｎに設定する請求項１又は２に記載の画像処理装置。
【請求項４】
前記設定部は、前記１ページの画像において、ｂｐｐ値がｍ（ｍは１より大きい整数）であり、かつ、前記主走査方向の画素数が前記ｎの場合、前記セグメントの画素数を、前記ｎ／前記ｍ、に設定する請求項３に記載の画像処理装置。
【発明の詳細な説明】
【技術分野】
【０００１】
本発明は、ページメモリーに格納された画像データを読み出して、所定の画像処理をする技術に関する。
【背景技術】
【０００２】
複合機のような画像形成装置に搭載される画像処理装置は、ページメモリーを利用して画像処理をする。詳しく説明すると、ページメモリーには、１ページの画像を示す画像データが格納される。１ページの画像は、主走査方向に連続して並ぶ画素からなるラインを、副走査方向に連続して並べた構造を有する。画像処理装置は、ページメモリーに格納されている画像データを、ラインデータの単位で読み出し、読み出したラインデータを、バッファとなる記憶部（例えば、ラインメモリー）に一時記憶させ、記憶部に一時記憶されているラインデータを読み出して所定の画像処理をする。
【０００３】
１ページの画像を複数のブロックに分割し、ブロック単位で画像処理をする画像処理装置が提案されている（例えば、特許文献１参照）。これによれば、ブロック単位で画像処理をするので、画像のラインデータではなく、セグメントデータと称されるブロックのラインデータの単位で、ページメモリーから読み出されて、セグメントデータが記憶部に一時記憶される。セグメントデータは、ラインデータよりもデータ量が小さいので、記憶部の容量を小さくすることができる。
【先行技術文献】
【特許文献】
【０００４】
【特許文献１】特開２０１０−８７８０４号公報
【発明の概要】
【発明が解決しようとする課題】
【０００５】
複合機のコストを下げるために、異なる機能（例えば、スキャナー機能とファクシミリ機能）のジョブであっても、画像処理を同じ画像処理装置で実行することがある。この場合、例えば、２４ｂｐｐのカラースキャン及び１ｂｐｐのファクシミリのように、１画素のビット数（ｂｐｐ：bits per pixel）が異なるジョブについて、ｂｐｐ値が大きいジョブでは、記憶部の全体が利用されるが、ｂｐｐ値が小さいジョブでは、記憶部の一部しか利用されない構成では、記憶部の効率的利用の観点から好ましくない。
【０００６】
本発明は、ページメモリーから読み出されたデータを一時記憶する記憶部を効率的に利用できる画像処理装置を提供することを目的とする。
【課題を解決するための手段】
【０００７】
上記目的を達成する本発明に係る画像処理装置は、１ページの画像を示す画像データが格納されるページメモリーと、前記１ページの画像を複数のブロックに分割する分割部と、前記ブロックは、主走査方向に連続して並ぶ画素からなるセグメントを、副走査方向に連続して並べた構造を有しており、前記１ページの画像を前記ブロックの単位で所定の画像処理をするために、前記セグメントを示すデータであるセグメントデータを単位として、前記ページメモリーから前記画像データを読み出す読出部と、前記読出部によって読み出された前記セグメントデータを、一時記憶する記憶部と、前記記憶部に記憶されている前記セグメントデータを用いて、前記所定の画像処理をする画像処理部と、前記１ページの画像のｂｐｐ（bits per pixel）値が小さくなると、画素数が大きくなるようにし、前記１ページの画像のｂｐｐ値が大きくなると、画素数が小さくなるように、前記セグメントの画素数を設定する設定部と、を備え、前記分割部は、前記設定部で設定された画素数の前記セグメントにより構成される前記複数のブロックに、前記１ページの画像を分割する。
【０００８】
ｂｐｐ値（１画素のビット数）を問わずに、セグメントの画素数を同じにする態様によれば、ｂｐｐ値の大きいジョブはｂｐｐ値の小さいジョブよりも、セグメントデータのデータ量が多くなる。従って、ｂｐｐ値の大きいジョブでは、記憶部の全体を利用できるが、ｂｐｐ値の小さいジョブでは、記憶部の一部しか利用できないことになる。
【０００９】
本発明に係る画像処理装置によれば、設定部が、１ページの画像のｂｐｐ値が小さくなると、画素数が大きくなるようにし、１ページの画像のｂｐｐ値が大きくなると、画素数が小さくなるように、セグメントの画素数を設定する。これにより、１ページの画像のｂｐｐ値に応じたセグメントデータのデータ量の差を小さく、又は、同じにすることができる。従って、ページメモリーから読み出されたデータ（セグメントデータ）を一時記憶する記憶部について、記憶部の一部だけが利用されることを防止できるので、記憶部を効率的に利用できる。
【００１０】
上記構成において、前記設定部は、前記１ページの画像のｂｐｐ値を問わずに、前記セグメントのデータ量が同じとなるように画素数を設定する。
【００１１】
上記構成において、前記設定部は、前記１ページの画像において、ｂｐｐ値が１であり、かつ、前記主走査方向の画素数がｎの場合、前記セグメントの画素数を前記ｎに設定する。
【００１２】
ブロック数が多くなると画像処理の速度が低下する。この構成では、ｂｐｐ値が１の場合、セグメントをラインと一致させることができるので、１ページの画像は、主走査方向において分割されない。よって、この構成によれば、ブロックの数を最も少なくすることができる。
【００１３】
上記構成において、前記設定部は、前記１ページの画像において、ｂｐｐ値がｍ（ｍは１より大きい整数）であり、かつ、前記主走査方向の画素数が前記ｎの場合、前記セグメントの画素数を、前記ｎ／前記ｍ、に設定する。
【００１４】
この構成によれば、１ページの画像において、ｂｐｐ値が１であり、かつ、主走査方向の画素数がｎの場合と、セグメントデータのデータ量を同じにすることができる。
【発明の効果】
【００１５】
本発明によれば、ページメモリーから読み出されたデータを一時記憶する記憶部を効率的に利用できる。
【図面の簡単な説明】
【００１６】
【図１】本発明の一実施形態に係る画像処理装置を搭載した画像形成装置の内部構造の概略を示す模式図である。
【図２】図１に示す画像形成装置の構成を示すブロック図である。
【図３】本実施形態に係る画像処理装置の構成を示すブロック図である。
【図４】複数のブロックに分割された１ページの画像を示す模式図である。
【図５】複数のブロックに分割された１ページの画像の第１例を示す模式図である。
【図６】複数のブロックに分割された１ページの画像の第２例を示す模式図である。
【図７】図５に示す１ページの画像の場合に、セグメントメモリーに記憶されるセグメントデータを説明する説明図である。
【図８】図６に示す１ページの画像の場合に、セグメントメモリーに記憶されるセグメントデータを説明する説明図である。
【発明を実施するための形態】
【００１７】
以下、図面に基づいて本発明の実施形態を詳細に説明する。図１は、本発明の一実施形態に係る画像処理装置１０（図３）を搭載した画像形成装置１の内部構造の概略を示す模式図である。画像形成装置１は、例えば、コピー、プリンター、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００、及び、装置本体１００の上部前面に配置された操作部４００を備える。
【００１８】
原稿給送部３００は、自動原稿送り装置として機能し、原稿載置部３０１に置かれた複数枚の原稿を連続的に原稿読取部２００で読み取ることができるように送ることができる。
【００１９】
原稿読取部２００は、露光ランプ等を搭載したキャリッジ２０１、ガラス等の透明部材により構成された原稿台２０３、不図示のＣＣＤ（Charge Coupled Device）センサー、及び、原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは、読み取った原稿を画像データとして出力する。
【００２０】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００２１】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ（原稿読取部２００から出力された画像データ、パソコンから送信された画像データ、ファクシミリ受信の画像データ等）に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００２２】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００２３】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００２４】
操作キー部４０１には、ハードキーからなる操作キーが設けられている。具体的には、スタートキー４０５、テンキー４０７、ストップキー４０９、リセットキー４１１、コピー、プリンター、スキャナー及びファクシミリを切り換えるための機能切換キー４１３等が設けられている。
【００２５】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００２６】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００２７】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００２８】
制御部５００は、ＣＰＵ（Central Processing Unit）、ＲＯＭ（Read Only Memory）、ＲＡＭ（Random Access Memory）、及び、画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、パソコンから送信された画像データ、ファクシミリ受信の画像データ等)を一時的に記憶する。
【００２９】
制御部５００は、機能の一つとして  画像処理装置１０としての機能を有する。画像処理装置１０の詳細は、後で説明する。
【００３０】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）、及び、ファクシミリ通信用の信号を変復調する変復調回路を備える。ファクシミリ通信部６０１は、電話回線６０５に接続される。
【００３１】
ネットワークＩ／Ｆ部６０３は、ＬＡＮ（Local Area Network）６０７に接続される。ネットワークＩ／Ｆ部６０３は、ＬＡＮ６０７に接続されたパソコン等の端末装置との間で通信を実行するための通信インターフェイス回路である。
【００３２】
図３は、本実施形態に係る画像処理装置１０の構成を示すブロック図である。画像処理装置１０は、ページメモリー１１、メモリー制御部１２、セグメントメモリー１３、及び、画像処理部１４を備える。
【００３３】
ページメモリー１１は、例えば、ＤＲＡＭ（Dynamic Random Access Memory）であり、１ページの画像を示す画像データが格納される。
【００３４】
メモリー制御部１２は、ページメモリー１１に格納されているデータを読み出して、画像処理部１４に送るための制御をするＬＳＩ（Large Scale Integration）である。メモリー制御部１２は、分割部１５、読出部１６、設定部１７、及び、ライン復元部１８を備える。
【００３５】
分割部１５は、１ページの画像を複数のブロックに分割する。図４は、分割部１５によって、複数のブロック３１に分割された１ページの画像３０を示す模式図である。１ページの画像３０は、主走査方向Ｄ１にＰ等分に分割され、副走査方向Ｄ２にＱ等分に分割されることにより、Ｐ×Ｑ個のブロック３１に分割されている。１ページの画像３０において、主走査方向Ｄ１の画素数は、ブロック３１の主走査方向Ｄ１の画素数×Ｐであり、副走査方向Ｄ２の画素数は、ブロック３１の副走査方向Ｄ２の画素数×Ｑである。なお、実際には後述するように、フィルター演算による画像処理に際しては隣のブロックの画像データを参照する必要があるため、ブロックの境界が糊代のように重なり合うように分割される。
【００３６】
１ページの画像３０は、主走査方向Ｄ１に連続して並ぶ画素３３によって構成されるライン３２を、副走査方向Ｄ２に連続して並べた構造を有する。ブロック３１は、セグメント３４を副走査方向Ｄ２に連続して並べた構造を有する。セグメント３４は、主走査方向Ｄ１に連続して並ぶ画素３３によって構成される。セグメント３４を構成する画素３３の個数は、ブロック３１の主走査方向Ｄ１の画素数である。１ページの画像３０において、Ｐ本のセグメント３４を主走査方向Ｄ１につなげれば、ライン３２となる。
【００３７】
図３を参照して、読出部１６は、１ページの画像３０をブロック３１の単位で所定の画像処理をするために、セグメント３４を示すデータであるセグメントデータを単位として、ページメモリー１１から画像データを読み出し、読み出したセグメントデータを画像処理部１４に転送する。セグメントデータは、１ページの画像３０のうち、セグメント３４で示される部分を示すデータである。
【００３８】
設定部１７及びライン復元部１８については、後で説明する。
【００３９】
セグメントメモリー１３は、読出部１６によって読み出されたセグメントデータが、画像処理部１４に転送される際に、バッファとなるメモリーである。セグメントメモリー１３は、例えば、ＳＲＡＭ（Static Random Access Memory）である。セグメントメモリー１３は、記憶部の一例である。記憶部は、読出部１６によって読み出されたセグメントデータを、一時記憶する。
【００４０】
セグメントメモリー１３が２つあるのは、画像処理部１４が、所定の画像処理として、３×３のフィルター処理をするからである。セグメントメモリー１３の数は、１又は複数であり、画像処理部１４で実行される画像処理に応じて、セグメントメモリー１３の数が定まる。２つのセグメントメモリー１３ａ，１３ｂを区別する必要がなければ、セグメントメモリー１３と記載する。
【００４１】
画像処理部１４は、セグメントメモリー１３に記憶されているセグメントデータを用いて、所定の画像処理をする。本実施形態では、上述したように、画像処理部１４は、ページメモリー１１に格納されている１ページの画像を示す画像データに対して、３×３のフィルター処理をする。所定の画像処理は、３×３のフィルター処理に限定されない。
【００４２】
画像処理部１４は、Ｐ×Ｎ個のブロック３１について、１番目のブロック３１から順番に３×３のフィルター処理をする。セグメントメモリー１３ｂには、読出部１６によって前々回に読み出されたセグメントデータが記憶され、セグメントメモリー１３ａには、読出部１６によって前回に読み出されたセグメントデータが記憶される。従って、読出部１６がセグメントデータを読み出すことにより、今回読み出されたセグメントデータと、セグメントメモリー１３ａに記憶されている前回読み出されたセグメントデータと、セグメントメモリー１３ｂに記憶されている前々回読み出されたセグメントデータと、を用いて３×３のフィルター処理がされる。
【００４３】
ライン復元部１８について説明する。ライン復元部１８は、画像処理部１４で３×３のフィルター処理がされた各セグメントデータをつなげてラインデータに復元して、ラインデータをページメモリー１１に格納する処理をする。
【００４４】
設定部１７は、図４に示す１ページの画像３０のｂｐｐ（bits per pixel）値が小さくなると、画素数が大きくなるようにし、１ページの画像３０のｂｐｐ値が大きくなると、画素数が小さくなるように、各セグメントメモリー１３が記憶できるデータ量を超えない範囲で、セグメント３４の画素数を設定する。分割部１５は、設定部１７で設定された画素数のセグメント３４により構成される複数のブロック３１に、１ページの画像３０を分割する。
【００４５】
図５は、分割部１５によって、複数のブロック３１に分割された１ページの画像３０ａの第１例を示す模式図である。１ページの画像３０ａは、画像形成装置１が２４ｂｐｐのカラースキャンジョブを実行する場合に、ページメモリー１１に格納される画像データで示される画像である。１ページの画像３０ａを構成する画素３３のｂｐｐ値は、２４である。
【００４６】
１ページの画像３０ａは、主走査方向Ｄ１に沿って、例えば、２４分割され、副走査方向Ｄ２に沿って、Ｑ（Ｑは２以上の整数）分割されることにより、２４×Ｑ個のブロック３１に分割されている。以下、本実施形態の理解を助けるために、主走査方向Ｄ１について、分割数や画素数を具体的に示している。これらの数は、具体例であり、これらの数に限定されない。
【００４７】
１ページの画像３０ａの主走査方向Ｄ１の画素数が、例えば、２４００とすれば、１ページの画像３０ａが主走査方向Ｄ１に２４分割されているので、ブロック３１の主走査方向Ｄ１の画素数は１００となる。
【００４８】
１ページの画像３０ａのラインは、主走査方向Ｄ１に連続して並ぶ２４００個の画素３３によって構成されている。セグメント３４は、主走査方向Ｄ１に連続して並ぶ１００個の画素３３によって構成される。１ページの画像３０ａにおいて、２４本のセグメント３４を主走査方向Ｄ１につなげれば、ラインとなる。
【００４９】
図６は、分割部１５によって、複数のブロック３１に分割された１ページの画像３０ｂの第２例を示す模式図である。１ページの画像３０ａ，３０ｂを区別する必要がなければ、１ページの画像３０と記載する。
【００５０】
１ページの画像３０ｂは、画像形成装置１が１ｂｐｐのファクミリジョブを実行する場合に、ページメモリー１１に格納される画像データで示される画像である。１ページの画像３０ｂを構成する画素３３のｂｐｐ値は、１である。
【００５１】
１ページの画像３０ｂは、主走査方向Ｄ１に沿って、分割されておらず、副走査方向Ｄ２にそって、Ｑ分割されることにより、Ｑ個のブロック３１に分割されている。
【００５２】
１ページの画像３０ｂの主走査方向Ｄ１の画素数を、２４００とすれば、１ページの画像３０ｂのセグメント３４は、主走査方向Ｄ１に連続して並ぶ２４００個の画素３３によって構成されている。従って、１ページの画像３０ｂにおいて、セグメント３４はラインと一致する。
【００５３】
以上説明したように、図５及び図６を参照して、分割部１５は、１ページの画像３０を、主走査方向Ｄ１の画素数が１ページの画像３０の主走査方向Ｄ１の画素数以下である複数のブロック３１に分割する。言い換えれば、分割部１５は、１ページの画像３０を、主走査方向Ｄ１の画素数が可変である複数のブロック３１に分割する。
【００５４】
図７は、図５に示す１ページの画像３０ａの場合に、セグメントメモリー１３に記憶されるセグメントデータを説明する説明図である。図８は、図６に示す１ページの画像３０ｂの場合に、セグメントメモリー１３に記憶されるセグメントデータを説明する説明図である。いずれの画像３０も、セグメントメモリー１３に記憶されるセグメントデータは、同じデータ量（２４００ビット）である。
【００５５】
本実施形態の主な効果を説明する。ｂｐｐ値（１画素３３のビット数）を問わずに、セグメント３４の画素数を同じにする態様によれば、ｂｐｐ値の大きいジョブはｂｐｐ値の小さいジョブよりも、セグメントデータのデータ量が多くなる。従って、ｂｐｐ値の大きいジョブでは、セグメントメモリー１３の全体を利用できるが、ｂｐｐ値の小さいジョブでは、セグメントメモリー１３の一部しか利用できないことになる。
【００５６】
本実施形態に係る画像処理装置１０によれば、設定部１７が、１ページの画像３０のｂｐｐ値が小さくなると、画素数が大きくなるようにし、１ページの画像３０のｂｐｐ値が大きくなると、画素数が小さくなるように、セグメント３４の画素数を設定する。これにより、１ページの画像のｂｐｐ値に応じたセグメントデータのデータ量の差を小さく、又は、同じにすることができる。従って、ページメモリー１１から読み出されたセグメントデータを一時記憶するセグメントメモリー１３について、セグメントメモリー１３の一部だけが利用されることを防止できるので、セグメントメモリー１３を効率的に利用できる。
【００５７】
１ページの画像３０が、ブロック３１の単位で画像処理される場合、ブロック３１の数が増えると、１ページの画像３０の画像処理が遅くなる。これは、図４に示すように、ブロック３１の境界に位置する画素３３−１については、糊代のように主走査方向Ｄ１で隣り合う２つのブロック３１のセグメントデータが利用して、画像処理がされるからである。本実施形態によれば、設定部１７は、１ページの画像３０のｂｐｐ値が小さくなると、画素数が大きくなるように、セグメント３４の画素数を設定する。このため、ｂｐｐ値が小さいジョブの場合、ブロック３１の数を少なくできるので、１ページの画像３０の画像処理を速くすることができる。
【００５８】
図７及び図８で説明したように、本実施形態によれば、設定部１７は、１ページの画像３０のｂｐｐ値を問わずに、セグメントのデータ量が同じとなるように画素数を設定する。このため、１ページの画像３０のｂｐｐ値を問わずに、セグメントデータのデータ量を同じにすることができるので、メモリー制御部１２によるセグメントメモリー１３の制御がシンプルとなる。
【００５９】
図６で説明したように、設定部１７は、１ページの画像３０ｂにおいて、ｂｐｐ値が１であり、かつ、主走査方向Ｄ１の画素数がｎ（ここでは、２４００）の場合、セグメント３４の画素数をｎ（２４００）に設定する。上述したように、ブロック３１数が多くなると、１ページの画像３０の画像処理の速度が低下する。本実施形態では、ｂｐｐ値が１の場合、セグメント３４をラインと一致させることができるので、１ページの画像３０ｂは、主走査方向Ｄ１において分割されない。よって、ブロック３１の数を最も少なくすることができる。
【００６０】
図５で説明したように、設定部１７は、１ページの画像３０ａにおいて、ｂｐｐ値がｍ（ｍは１より大きい整数、ここでは、２４）であり、かつ、主走査方向Ｄ１の画素数がｎ（ここでは、２４００）の場合、セグメント３４の画素数を、ｎ／ｍ、に設定する。よって、図７及び図８で説明したように、１ページの画像３０ａと１ページの画像３０ｂ（図６）とにおいて、セグメントデータのデータ量を同じにすることができる。
【符号の説明】
【００６１】
１０  画像処理装置
３０，３０ａ，３０ｂ  １ページの画像
３１  ブロック
３３  画素
３４  セグメント
Ｄ１  主走査方向
Ｄ２  副走査方向
【図１】
2015226184.tif 000003
【図２】
2015226184.tif 000004
【図３】
2015226184.tif 000005
【図４】
2015226184.tif 000006
【図５】
2015226184.tif 000007
【図６】
2015226184.tif 000008
【図７】
2015226184.tif 000009
【図８】
2015226184.tif 000010